(57)【要約】【課題】  医療従事者の手間をかけることなく正確な医療従事者のスキルに関する情報を管理者などが把握することができるようにすることを目的とする。【解決手段】  医療従事者が行った同一の看護行為の回数と同一の看護行為における実施結果の回数とから看護行為情報における結果情報の割合を評価部１４にて判定する。看護行為情報と同一の看護行為が行われた回数に応じて異なる表示パターンと割合が一番大きい結果情報に対応する評価情報とを表示するようにしている。これにより、同一の看護行為が行われた回数が多ければ多いほど、評価部１４の判定は、信頼性の高いものになるので、管理者などは、信頼性の高い判定であると判断できる。従って管理者などは、医療従事者の手間をかけずに、正確な医療従事者のスキルに関する情報を把握することができる。【選択図】        図１
2008242774.tif 000002
【特許請求の範囲】
【請求項１】
看護行為を示す看護行為情報と前記看護行為情報に対応する実施結果の選択肢を示す選択肢情報と前記選択肢情報に対応する評価情報とを互いに紐付けて予め登録し、前記看護行為を実施する医療従事者を示す医療従事者情報を予め登録する設定部と、
前記看護行為を実施した医療従事者を示す担当者情報を選択する担当者情報選択手段、前記設定部にて登録されている前記看護行為情報を選択する第１の選択手段、前記第１の選択手段にて選択した前記看護行為情報に紐付けられている前記選択肢情報から１つの実施結果を選択する第２の選択手段からなる入力部と、
前記担当者情報選択手段にて選択した担当者情報と前記第１の選択手段にて選択した前記看護行為情報と前記第２の選択手段にて選択した実施結果を示す結果情報と前記結果情報に対応する評価情報とを互いに紐付けて記憶する記憶部と、
評価対象となる医療従事者を示す評価者情報を入力する評価者情報入力手段、前記評価者情報入力手段にて入力した前記評価者情報に該当する担当者情報を前記記憶部から取得し取得した前記担当者情報に紐付けられている全ての看護行為情報と前記全ての看護行為情報に紐付けられている結果情報と評価情報とを前記記憶部から取得する取得手段、前記取得手段にて取得した全ての前記看護行為情報に基づいて同一の看護行為が行われた回数を集計する第１の集計手段、前記取得手段にて取得した前記結果情報に基づいて前記同一の看護行為における実施結果の回数を集計する第２の集計手段、第１の集計手段にて集計した前記同一の看護行為が行われた回数と第２の集計手段にて集計した前記実施結果の回数とから評価対象となる医療従事者が実施した看護行為情報における前記結果情報の割合を判定する判定手段からなる評価部と、
前記看護行為情報と前記評価部にて集計した前記同一の看護行為が行われた回数に応じて異なる表示パターンと、前記評価部にて判定した前記割合が一番大きい前記結果情報に対応する前記評価情報とを少なくとも表示する表示部と、
を具備することを特徴とする看護支援システム。
【発明の詳細な説明】
【技術分野】
【０００１】
本発明は、病院などの医療機関において、医師や看護師などの医療従事者に対する看護業務を支援するための看護支援システムに関する。
【背景技術】
【０００２】
一般に病院では、看護行為を効率的に進めるために看護支援システムが用いられている。従来の看護支援システムでは、あらかじめ病院で設定された看護計画に沿って看護行為を実施した内容（看護実績）を管理している。
【０００３】
また、管理者などは、看護師などの医療従事者による看護行為を効率的に進めるために、医療従事者のスキル（技能）の管理を行っている。近年では、看護行為が複雑化しており、より細かなスキルの管理が必要とされているが、医療従事者のスキルを管理するシステムはなかった。
【０００４】
一方で、特許文献１には、会社等の社員向けのスキル管理システムが開示されている。特許文献１に記載のスキル管理システムでは、個々の業務経験、業務経歴、取得資格等のスキルに関する情報がデータベースに登録されている。ここで、個々のスキルに関する情報は、社員の自己申告により登録されている。また、業務に応じた試験を社員に受けさせ、その試験結果をデータベースに登録するようにしている。
【特許文献１】特開２００２−３２５３８号公報
【０００５】
ところで、特許文献１に記載のスキル管理システムを医療従事者のスキルを管理するシステムに適用した場合、医療従事者のスキルに関する情報を正確に得るためには、医療従事者には、試験を多く受けさせる必要がある。しかしながら、忙しい医療従事者にとって試験を多く受けさせるための時間を捻出することは、困難になってしまうという問題があった。
【発明の開示】
【発明が解決しようとする課題】
【０００６】
本発明は、このような問題を解決するために成されたものであり、医療従事者の手間をかけることなく、正確な医療従事者のスキルに関する情報を管理者などが把握することができるようにすることを目的とする。
【課題を解決するための手段】
【０００７】
上述した課題を解決するために、本発明の看護支援システムは、看護行為情報に基づいて評価対象となる医療従事者が行った同一の看護行為の回数と、結果情報に基づいて同一の看護行為における実施結果の回数とから評価対象となる医療従事者が実施した看護行為情報における結果情報の割合を評価部にて判定する。そして、看護行為情報と同一の看護行為が行われた回数に応じて異なる表示パターンと評価部にて判定した割合が一番大きい結果情報に対応する評価情報とを少なくとも表示するようにしている。
【発明の効果】
【０００８】
上記のように構成した本発明によれば、看護行為と看護行為を実施した医療従事者と看護行為の結果とを選択するだけで、同一の看護行為が行われた回数に応じて異なる表示パターンが表示される。また、看護行為情報における結果情報の割合が一番大きい結果情報が表示される。これにより、回数が多いことを示す表示パターンが表示されると、同一の看護行為が行われた回数が多ければ多いほど、評価部の判定は、信頼性の高いものになるので、管理者などは、信頼性の高い判定であると判断できる。従って、管理者などは、医療従事者の手間をかけずに、正確な医療従事者のスキルに関する情報を把握することができる。
【発明を実施するための最良の形態】
【０００９】
以下、本発明の一実施形態を図面に基づいて説明する。本実施形態による看護支援システムのブロック図を図１に示す。同図に示すように、本実施形態による看護支援システム１は、制御部１０、設定部１１、入力部１２、データベース１３（特許請求の範囲の記憶部に該当）、評価部１４、表示部１５を備えて構成されている。
【００１０】
制御部１０は、看護支援システム１の各構成要素を後述するように制御する。設定部１１は、看護行為を示す看護行為情報と看護行為情報に対応する実施結果の選択肢を示す選択肢情報と選択肢情報に対応する評価情報とを互いに紐付けて予め登録する。また、設定部１１は、看護行為を実施する医療従事者を示す医療従事者情報を登録する。ここで、看護行為情報と選択肢情報と評価情報と医療従事者情報とは、看護行為を入力する前に予め登録される。管理者などにより設定部１１の起動操作が行われたと制御部１０にて判断した場合には、制御部１０は、設定部１１を動作させ、図２に示す設定画面２００を表示する。
【００１１】
設定画面２００は、図２に示すように、登録された看護行為情報と選択肢情報と評価情報とを表示するための画面である。設定画面２００は、看護行為表示欄２０１、選択肢表示欄２０２、評価表示欄２０３、回数表示入力欄２０４、看護行為作成ボタン２０５、医療従事者一覧ボタン２０６を含んでいる。また、設定画面２００では、タッチパネルを適用したり、マウスなどで操作されるカーソルを適用したりすることにより、看護行為作成ボタン２０５と医療従事者一覧ボタン２０６とを押下することができる。看護行為表示欄２０１には、例えば、「点滴」、「注射」などの看護行為情報が表示される。選択肢表示欄２０２には、看護行為表示欄２０１に登録した看護行為情報に対応する実施結果（すなわち、看護行為を実施した結果（例えば、「問題なく実施」、「問題はあったが自力で実施」など））の選択肢を示す選択肢情報が表示される。評価表示欄２０３には、選択肢表示欄２０２に表示した選択肢の各実施結果に対応した評価が表示される。また、回数表示入力欄２０４は、同一の看護行為が行われた回数に応じて表示パターンを表示するためのしきい値を入力するためのものである。同一の看護行為が行われた回数が回数表示入力欄２０４に入力されたしきい値以上の場合には、後述する表示パターンが表示される。また、本実施形態では、回数表示入力欄２０４には、「５０，１００」と入力されている。これは、看護行為の回数が５０回未満と５０回以上１００回未満と１００回以上とのそれぞれに異なる表示パターンを表示することを示す。このように、回数表示入力欄２０４では、複数のしきい値を登録することができる。
【００１２】
看護行為作成ボタン２０５は、新規で看護行為情報と選択肢情報と評価情報とを作成するためのものである。管理者などにより看護行為作成ボタン２０５が押下されたと制御部１０にて判断した場合には、制御部１０は、設定部１１を動作させ、図示しない作成画面を表示する。管理者などは、看護行為と看護行為の選択肢と選択肢に対応した評価とを作成画面に入力する。入力後、図示しない保存ボタンが押下されたと制御部１０にて判断した場合には、制御部１０は、設定部１１を動作させて、作成画面を閉じ、入力した内容を設定画面２００に反映する。
【００１３】
医療従事者一覧ボタン２０６は、看護行為を実施する医療従事者を示す医療従事者情報を登録するためのものである。管理者などにより医療従事者一覧ボタン２０６が押下されたと制御部１０にて判断した場合には、制御部１０は、設定部１１を動作させ、図示しない医療従事者一覧画面を表示する。医療従事者一覧画面には、看護行為を実施する医療従事者が表示されている。管理者などは、医療従事者情報の登録、編集、削除を医療従事者一覧画面で行うことができる。
【００１４】
入力部１２は、担当者情報と看護行為情報と看護行為情報に紐付けられている選択肢情報から１つの実施結果とを選択するものである。入力部１２は、担当者情報選択手段、第１の選択手段、第２の選択手段を備えて構成されている。担当者情報選択手段は、設定部１１に登録されている医療従事者情報の中から看護行為を実施した医療従事者を選択するものである。第１の選択手段は、設定部１１に登録されている看護行為情報を選択するものである。第２の選択手段は、第１の選択手段にて選択した看護行為情報に紐付けられている選択肢情報から１つの実施結果を選択するものである。医療従事者により入力部１２の起動操作が行われたと制御部１０にて判断した場合には、制御部１０は、入力部１２を動作させ、入力画面３００を表示する。医療従事者などが入力画面３００で看護行為を実施した医療従事者と看護行為と看護行為の実施結果とを選択することにより、入力部１２は、担当者情報と看護行為情報とこの看護行為情報に紐付けられている選択肢情報から１つの実施結果との選択を実施する。
【００１５】
入力画面３００は、図３に示すように、担当者情報と看護行為情報と結果情報と評価情報とを入力するための画面である。入力画面３００は、担当者名表示欄３０１、日付表示欄３０２、看護行為選択欄３０３、実施結果選択欄３０４、担当者選択ボタン３０５、保存ボタン３０６を含んでいる。担当者名表示欄３０１には、看護行為を実施した医療従事者を示す担当者情報が表示される。日付表示欄３０２には、看護行為を実施した日付を示す日付情報が表示される。看護行為選択欄３０３には、選択した看護行為情報が表示される。看護行為選択欄３０３の右側に設けられている三角マークのボタンを押下すると、制御部１０は、第１の選択手段を動作させ、設定部１１で予め登録された看護行為情報を一覧表示する。医療従事者が一覧表示させた看護行為情報の中から自身が実施した看護行為情報を選択することで、制御部１０は、看護行為選択欄３０３に選択した看護行為情報を表示する。実施結果選択欄３０４には、選択肢情報から選択した実施結果を示す結果情報が表示される。実施結果選択欄３０４の右側に設けられている三角マークのボタンを押下すると、制御部１０は、第２の選択手段を動作させ、看護行為選択欄３０３に表示されている看護行為情報に紐付けられている選択肢情報を一覧表示する。医療従事者が一覧表示させた選択肢情報の中から１つの結果情報を選択することで、制御部１０は、実施結果選択欄３０４に選択した結果情報を表示する。
【００１６】
担当者選択ボタン３０５は、担当者情報を選択するためのものである。担当者選択ボタン３０５が押下されたと制御部１０にて判断した場合には、制御部１０は、担当者情報選択手段を動作させ、図示しない担当者選択画面を表示する。担当者選択画面には、設定部１１に登録されている医療従事者情報が一覧表示される。入力画面３００を操作する医療従事者は、一覧表示された医療従事者情報の中から看護行為を実施した医療従事者を選択することにより、所望の担当者情報を選択することができる。ここで、担当者選択画面に表示される医療従事者は、設定部１１に登録されている医療従事者情報に基づいて表示される。
【００１７】
保存ボタン３０６は、選択した担当者情報と日付情報と看護行為情報と結果情報とをデータベース１３に記憶するためのものである。保存ボタン３０６が押下されたと制御部１０にて判断した場合には、制御部１０は、入力画面３００の担当者名表示欄３０１、日付表示欄３０２、看護行為選択欄３０３、実施結果選択欄３０４に表示されている担当者情報、日付情報、看護行為情報、結果情報を取得する。制御部１０は、取得した結果情報に対応する評価情報を設定部１１から取得する。そして、制御部１０は、取得した日付情報と看護行為情報と結果情報と評価情報とを、選択した担当者情報に紐付けてデータベース１３に記憶する。
【００１８】
データベース１３は、図４に示すように、Ｎｏ．領域４０１、担当者名領域４０２、日付領域４０３、看護行為領域４０４、結果領域４０５、評価領域４０６を格納している。ここで、各項目領域４０１〜４０６は、Ｎｏ．領域４０１毎に紐付けられている。担当者名領域４０２には、入力部１２にて選択された看護行為を実施した医療従事者を示す担当者情報が格納される。日付領域４０３には、看護行為を実施した日付を示す日付情報が格納される。看護行為領域４０４には、入力部１２にて選択された看護行為を示す看護行為情報が格納される。結果領域４０５には、入力部１２にて選択された看護行為の実施結果を示す結果情報が格納される。評価領域４０６には、結果情報に対応する評価情報が格納される。
【００１９】
評価部１４は、同一の看護行為が行われた回数を医療従事者毎に集計したり、各看護行為情報における結果情報の割合を判定したりするものである。評価部１４は、評価者情報入力手段、取得手段、第１の集計手段、第２の集計手段、判定手段を備えて構成されている。評価者情報入力手段は、設定部１１に登録されている医療従事者情報の中から、評価対象となる医療従事者を示す評価者情報を入力するものである。取得手段は、評価者情報入力手段にて入力した評価者情報に該当する担当者情報をデータベース１３から取得し取得した担当者情報に紐付けられている全ての看護行為情報と全ての看護行為情報に紐付けられている結果情報と評価情報とをデータベース１３から取得するものである。第１の集計手段は、取得手段にて取得した全ての看護行為情報に基づいて同一の看護行為が行われた回数を集計するものである。第２の集計手段は、取得手段にて取得した結果情報に基づいて同一の看護行為における各実施結果の回数を集計するものである。判定手段は、第１の集計手段にて集計した同一の看護行為が行われた回数と第２の集計手段にて集計した実施結果の回数とから評価対象となる医療従事者が実施した看護行為情報における各結果情報の割合を判定するものである。評価部１４は、取得した同一の看護行為情報の数をカウントし、その数の合計を同一の看護行為の回数としている。また、評価部１４は、取得した同一の結果情報の数をカウントし、その数を同一の看護行為における実施結果の回数としている。評価部１４は、同一の看護行為が行われた回数と同一の看護行為における各実施結果の回数とをそれぞれ集計する。そして、評価部１４は、集計した同一の看護行為が行われた回数と各実施結果の回数とから、同一の看護行為の回数を全体とした各実施結果の回数が占める割合を判定する。
【００２０】
表示部１５は、看護行為情報と評価部１４にて判定した割合が一番大きい結果情報に対応する評価情報とを評価画面５００に表示するものである。また、表示部１５は、設定部１１に設定したしきい値に基づき、集計した同一の看護行為が行われた回数に応じて異なる表示パターンを表示する。また、表示部１５は、設定画面２００と入力画面３００とを表示する。
【００２１】
評価画面５００は、図５に示すように、管理者などが指定した医療従事者における各看護行為の評価を表示するための画面である。評価画面５００は、担当者名表示欄５０１、表示パターン説明欄５０２、看護行為表示欄５０３、評価表示欄５０４、表示パターン表示欄５０５、担当者選択ボタン５０６を含んでいる。担当者名表示欄５０１には、評価対象となる医療従事者が表示される。管理者などは、担当者選択ボタン５０６を押下することにより、評価対象となる医療従事者を選択することができる。担当者選択ボタン５０６が押下されたと制御部１０にて判断した場合には、制御部１０は、評価者情報入力手段を動作させ、図示しない担当者選択画面を表示する。管理者などは、担当者選択画面の中から評価対象となる医療従事者を選択することにより、設定部１１に登録されている医療従事者情報を選択することができる。
【００２２】
表示パターン説明欄５０２には、表示パターンを表示するための同一の看護行為が行われた回数の説明が表示される。表示パターン説明欄５０２に表示される数値は、設定部１１に設定したしきい値によって変化する。看護行為表示欄５０３には、評価対象となる医療従事者により実施された看護行為が表示される。評価表示欄５０４には、評価対象となる医療従事者により実施された看護行為に対応する評価が表示される。表示パターン表示欄５０５には、看護行為表示欄５０３に表示されている同一の看護行為が行われた回数が設定部１１に設定したしきい値が示す条件に当てはまるときの表示パターンが表示される。同一の看護行為が行われた回数が設定部１１に設定したしきい値以上の場合には、表示パターンが表示される。本実施形態では、しきい値は、５０，１００と設定している。これにより、同一の看護行為の回数が５０回未満の場合には、表示パターンが表示されない。また、同一の看護行為の回数が５０回以上１００回未満の場合には、淡色の表示パターンが表示される。また、同一の看護行為の回数が１００回以上の場合には、濃色の表示パターンが表示される。
【００２３】
管理者などにより評価部１４の起動操作が行われたと制御部１０にて判断した場合には、制御部１０は、評価部１４を動作させ、評価画面５００を生成する。表示部１５は、評価部１４にて生成した評価画面５００を表示する。管理者などにより担当者選択ボタン５０６が押下されたと制御部１０にて判断した場合には、制御部１０は、評価者情報入力手段を動作させ、図示しない担当者選択画面を表示する。担当者選択画面には、設定部１１に登録されている医療従事者情報が一覧表示される。管理者などは、一覧表示された医療従事者情報の中から評価を行う医療従事者を選択することにより、所望の評価者情報を選択することができる。ここで、担当者選択画面に表示される医療従事者は、設定部１１に登録されている医療従事者情報に基づいて表示される。医療従事者が選択されたと制御部１０にて判断した場合には、制御部１０は、取得手段を動作させ、選択された医療従事者に該当する評価者情報をデータベース１３から取得し、取得した評価者情報に紐付けられている看護行為情報と結果情報と評価情報とをデータベース１３から取得する。
【００２４】
以下、医療従事者「佐藤花子」が「点滴」の看護行為を実施した回数が４８回、「注射」の看護行為を実施した回数が７５回、「バイタル」の看護行為を実施した回数が１１０回という看護行為がデータベース１３に登録され、そのうち、「点滴」の結果は、「問題なく実施」の実施結果の回数が２５回、「問題はあったが、自力で実施」の実施結果の回数が１５回、「問題あり、他の担当者のヘルプを受けた」の実施結果の回数が８回という各実施結果がデータベース１３に登録されており、また、「注射」の結果は、「問題なく実施」の実施結果の回数が２０回、「問題はあったが、自力で実施」の実施結果の回数が４０回、「問題あり、他の担当者のヘルプを受けた」の実施結果の回数が１５回という各実施結果がデータベース１３に登録されており、また、「バイタル」の結果は、「問題なく実施」の実施結果の回数が２０回、「問題はあったが、自力で実施」の実施結果の回数が３０回、「問題あり、他の担当者のヘルプを受けた」の実施結果の回数が６０回という各実施結果がデータベース１３に登録されていると仮定して説明をする。
【００２５】
評価画面５００の担当者名表示欄５０１には、「佐藤花子」が表示されているので、評価部１４は、「佐藤花子」を評価対象とし、「佐藤花子」が実施した看護行為と看護行為に対応する評価とが表示される。制御部１０は、第１の集計手段と第２の集計手段とを動作させ、同一の看護行為の回数と同一の看護行為における実施結果の回数とをそれぞれ集計する。評価部１４は、「点滴」が行われた回数を４８回、「注射」が行われた回数を７５回、「バイタル」が行われた回数を１１０回と集計する。評価部１４は、データベース１３から取得した「点滴」の実施結果を取得し、「問題なく実施」の回数を２５回、「問題はあったが、自力で実施」の回数を２５回、「問題あり、他の担当者のヘルプを受けた」の回数を８回と集計する。また、評価部１４は、データベース１３から取得した「注射」の実施結果を取得し、「問題なく実施」の回数を２０回、「問題はあったが、自力で実施」の回数を４０回、「問題あり、他の担当者のヘルプを受けた」の回数を１５回と集計する。また、評価部１４は、データベース１３から取得した「バイタル」の実施結果を取得し、「問題なく実施」の回数を２０回、「問題はあったが、自力で実施」の回数を３０回、「問題あり、他の担当者のヘルプを受けた」の回数を６０回と集計する。
【００２６】
集計後、制御部１０は、判定手段を動作させ、評価対象となる医療従事者が実施した看護行為情報における結果情報の割合を判定する。評価部１４は、集計した回数から看護行為である「点滴」の看護行為を実施した回数の割合を１００とすると、「問題なく実施」の実施結果の回数の割合が５２、「問題はあったが、自力で実施」の実施結果の回数の割合が３１、「問題あり、他の担当者のヘルプを受けた」の実施結果の回数の割合が１７と判定する。よって、評価部１４は、割合が一番大きい実施結果を「問題なく実施」の実施結果であると判定する。評価部１４は、「問題なく実施」の実施結果に対応している評価Ａを評価情報として設定する。そして、表示部１５は、図５の看護行為表示欄５０３に「点滴」の看護行為を表示し、評価表示欄５０４に評価Ａの表示情報を表示する。
【００２７】
また、評価部１４は、集計した回数から看護行為である「注射」の看護行為を実施した回数の割合を１００とすると、「問題なく実施」の実施結果の回数の割合が２７、「問題はあったが、自力で実施」の実施結果の回数の割合が５３、「問題あり、他の担当者のヘルプを受けた」の実施結果の回数の割合が２０と判定する。よって、評価部１４は、割合が一番大きい実施結果を「問題はあったが、自力で実施」の実施結果であると判定する。評価部１４は、「問題はあったが、自力で実施」の実施結果に対応している評価Ｂを評価情報として設定する。そして、表示部１５は、図５の看護行為表示欄５０３に「注射」の看護行為を表示し、評価表示欄５０４に評価Ｂの表示情報を表示する。
【００２８】
また、評価部１４は、集計した回数から看護行為である「バイタル」の看護行為を実施した回数の割合を１００とすると、「問題なく実施」の実施結果の回数の割合が１８、「問題はあったが、自力で実施」の実施結果の回数の割合が２７、「問題あり、他の担当者のヘルプを受けた」の実施結果の回数の割合が５５と判定する。よって、評価部１４は、割合が一番大きい実施結果を「問題あり、他の担当者のヘルプを受けた」の実施結果であると判定する。評価部１４は、「問題あり、他の担当者のヘルプを受けた」の実施結果に対応している評価Ｃを評価情報として設定する。そして、表示部１５は、図５の看護行為表示欄５０３に「バイタル」の看護行為を表示し、評価表示欄５０４に評価Ｃの表示情報を表示する。
【００２９】
また、評価部１４は、設定部１１に登録されているしきい値と集計した同一の看護行為の回数とを比較して、しきい値が示す条件に適した表示パターンを決定する。そして、表示部１５は、評価部１４にて決定した表示パターンを表示パターン表示欄５０５に表示する。本実施形態において、表示パターンを決定するためのしきい値は「５０，１００」である。このしきい値により、表示部１５は、看護行為の回数が５０回未満と５０回以上１００回未満と１００回以上との範囲で３つの異なる表示パターンを表示させる。このことから、表示部１５は、「点滴」の看護行為における第１の表示パターンとして、表示パターン表示欄５０５に表示パターンを表示しないものである。また、表示部１５は、「注射」の看護行為における第２の表示パターンとして、表示パターン表示欄５０５に淡色の表示パターンを表示するものである。また、表示部１５は、「バイタル」の看護行為における第３の表示パターンとして、表示パターン表示欄５０５に濃色の表示パターンを表示するものである。これらにより、管理者などは、「点滴」の看護行為を実施した回数が５０回未満であり、「注射」の看護行為を実施した回数が５０回以上１００回未満であり、「バイタル」の看護行為を実施した回数が１００回以上であることを把握することができる。
【００３０】
以上詳しく説明したように、本実施形態の看護支援システムは、一覧表示された医療従事者情報の中から評価を行う医療従事者を管理者などが選択したと制御部１０にて判断した場合には、選択された医療従事者に該当する評価者情報に紐付けられている看護行為情報と結果情報と評価情報とをデータベース１３から抽出し、看護行為情報に基づいて評価対象となる医療従事者が行った同一の看護行為の回数と、結果情報に基づいて同一の看護行為における実施結果の回数とから評価対象となる医療従事者が実施した看護行為情報における結果情報の割合を評価部１４にて判定する。そして、看護行為情報と同一の看護行為が行われた回数に応じて異なる表示パターンと評価部１４にて判定した割合が一番大きい結果情報に対応する評価情報とを表示部１５に表示するようにしている。これにより、看護行為と看護行為を実施した医療従事者と看護行為の結果とを選択するだけで、同一の看護行為が行われた回数に応じて異なる表示パターンとが表示される。また、看護行為情報における結果情報の割合が一番大きい結果情報が表示される。回数が多いことを示す表示パターンが表示されると、同一の看護行為が行われた回数が多ければ多いほど、評価部１４の判定は、信頼性の高いものになるので、管理者などは、信頼性の高い判定であると判断できる。従って管理者などは、医療従事者の手間をかけずに、正確な医療従事者のスキルに関する情報を把握することができる。
【００３１】
なお、本実施形態では、設定部１１では、評価にＡ、Ｂ、Ｃを使用しているがこれに限定されない。例えば、評価に数値や具体的な評価内容を示す文字列などを使用しても良い。
【００３２】
また、本実施形態では、表示部１５は、評価部１４にて判定した割合が一番大きい結果情報に対応する評価のみを表示しているがこれに限定されない。例えば、全ての結果情報に対応する評価を表示したり、上位のいくつかの結果情報に対応する評価を表示したりしても良い。
【００３３】
また、本実施形態では、表示部１５は、表示パターンとして、表示パターン表示欄５０５を設けて、表示なし、淡色、濃色の３種の丸印を表示しているがこれに限定されない。例えば、表示パターンとして、複数の色の丸印を表示しても良い。
【００３４】
また、本実施形態では、表示部１５は、表示パターンとして、表示パターン表示欄５０５を設けて、表示なし、淡色、濃色の３種の丸印を表示しているがこれに限定されない。例えば、表示パターンとして、看護行為表示欄５０３に表示されている看護行為の文字の色やスタイルを変更して表示しても良い。
【００３５】
また、本実施形態では、図示しない担当者選択画面で選択した医療従事者を担当者名表示欄３０１に表示しているがこれに限定されない。例えば、制御部１０は、入力画面３００を表示するときにユーザ認証を行い、認証した医療従事者を担当者名表示欄３０１に表示しても良い。これにより、入力画面３００を操作する医療従事者は、担当者選択の操作を行わずに、看護行為の実施結果を入力することができる。
【００３６】
また、本実施形態では、評価対象となる医療従事者が実施した全ての看護行為を集計しているがこれに限定されない。例えば、データベース１３に記憶した日付情報を使用して、指定した期間内に実施した看護行為を集計しても良い。これにより、管理者などは、指定した期間における医療従事者のスキルに関する情報を把握することができる。
【図面の簡単な説明】
【００３７】
【図１】本実施形態の看護支援システムのブロック図である。
【図２】設定画面例を示す説明図である。
【図３】入力画面例を示す説明図である。
【図４】データベースの構成例を示す説明図である。
【図５】評価画面例を示す説明図である。
【符号の説明】
【００３８】
１      看護支援システム
１０    制御部
１１    設定部
１２    入力部
１３    データベース
１４    評価部
１５    表示部
２００  設定画面
２０１  看護行為表示欄
２０２  選択肢表示欄
２０３  評価表示欄
２０４  回数表示入力欄
２０５  看護行為作成ボタン
２０６  医療従事者一覧ボタン
３００  入力画面
３０１  担当者名表示欄
３０２  日付表示欄
３０３  看護行為選択欄
３０４  実施結果選択欄
３０５  担当者選択ボタン
３０６  保存ボタン
４０１  Ｎｏ．領域
４０２  担当者名領域
４０３  日付領域
４０４  看護行為領域
４０５  結果領域
４０６  評価領域
５００  評価画面
５０１  担当者名表示欄
５０２  表示パターン説明欄
５０３  看護行為表示欄
５０４  評価表示欄
５０５  表示パターン表示欄
５０６  担当者選択ボタン
【図１】
2008242774.tif 000003
【図２】
2008242774.tif 000004
【図３】
2008242774.tif 000005
【図４】
2008242774.tif 000006
【図５】
2008242774.tif 000007